(57)【要約】【課題】  ストライカとラッチを前外装カバーの外部に配置した場合でも、これらを固定する締結具を覆い隠すことにより、開閉カバーを確実に施錠できるようにする。【解決手段】  前外装カバー１１には、ラッチ２０のラッチ固定部２１と一緒に２本のラッチボルト２３を外部から見えないように覆い隠す目隠し部材２４を目隠し部材ボルト２８，２９を用いて取付ける。この目隠し部材ボルト２９は、開閉カバー１４を閉じたときにストライカ１６の係合部材１８に隠れる位置に配置する構成としている。従って、ラッチ２０を前外装カバー１１のラッチ取付台１２に取付けている２本のラッチボルト２３は、目隠し部材２４によって目視できないように覆い隠すことができる。しかも、目隠し部材２４を前外装カバー１１に取付けている目隠し部材ボルト２９は、係合部材１８によって隠すことができる。【選択図】        図３
2014122525.tif 000002
【特許請求の範囲】
【請求項１】
自走可能な下部走行体と、該下部走行体上に旋回可能に搭載された上部旋回体と、該上部旋回体に俯仰動可能に設けられた作業装置とからなり、
前記上部旋回体は、前側に位置して左，右方向の中間部に前記作業装置を取付けるための取付ブラケットが設けられた旋回フレームと、該旋回フレームの前側に位置して前記取付ブラケットよりも左，右方向の外側に配置され内部が物品収容空間となると共に該物品収容空間に物品を出し入れするための開口部を有する前外装カバーと、該前外装カバーの開口部を開閉するために該前外装カバーに対して開閉可能に設けられた開閉カバーとを備えてなる建設機械において、
前記開閉カバーに設けたストライカに前記前外装カバーに設けたラッチを係合させることにより該開閉カバーを前記前外装カバーに対して施錠、解錠可能にロックするロック装置を有し、
前記ロック装置の前記ストライカは、前記開閉カバーに取付けられたストライカ固定部と該ストライカ固定部から前記前外装カバーに向けて延びた係合部材とにより構成し、
前記ロック装置の前記ラッチは、ラッチ締結具を用いて前記前外装カバーに取付けられたラッチ固定部と該ラッチ固定部から前記ストライカの前記係合部材に向けて延び前記係合部材に対して外側から係合する係合レバーとにより構成し、
前記ラッチ締結具が外部から見えないように隠す目隠し部材を備え、該目隠し部材は、前記前外装カバーに対して目隠し部材締結具を用いて取付ける構成とし、
前記目隠し部材締結具は、前記開閉カバーを閉じたときに前記ストライカの前記係合部材に隠れる位置に配置する構成としたことを特徴とする建設機械。
【請求項２】
前記ストライカの前記ストライカ固定部は、前記開閉カバーに対しストライカ締結具を用いて取付け、該ストライカ締結具は、前記開閉カバーを閉じたときに該開閉カバーと前記前外装カバーとの間に隠れる位置に配置する構成としてなる請求項１に記載の建設機械。
【請求項３】
前記開閉カバーは、後端が前記前外装カバーの後部位置に水平方向に回動可能に取付けられた横開きカバーとして形成し、
前記ストライカは、前記開閉カバーの前端に前記前外装カバーに向けて水平方向に延びるように設け、
前記ラッチは、前記前外装カバーの前面に水平方向に延びる横置き状態で取付ける構成としてなる請求項１または２に記載の建設機械。
【請求項４】
前記目隠し部材は、前記ラッチの前記ラッチ固定部と前記ラッチ締結具とを覆い隠す山形状に形成され、前記目隠し部材を前記目隠し部材締結具を用いて前記前外装カバーの前面に取付けた状態では、前記ラッチの前記係合レバーのみが前記目隠し部材から突出する構成としてなる請求項１，２または３に記載の建設機械。
【請求項５】
前記目隠し部材は、前記ラッチ締結具を隠すために突出して設けられた目隠し用膨出部と、該目隠し用膨出部から前記ストライカ側に向け薄板状に延び前記目隠し部材締結具を用いて前記前外装カバーに取付けられる取付板部と、前記目隠し用膨出部に設けられ前記ラッチの係合レバーが回動可能に突出する開口部とにより構成してなる請求項１，２，３または４に記載の建設機械。
【発明の詳細な説明】
【技術分野】
【０００１】
本発明は、例えば上部旋回体の前側に前外装カバーとこれを開閉する開閉カバーとを備えた油圧ショベル等の建設機械に関する。
【背景技術】
【０００２】
一般に、建設機械の代表例としての油圧ショベルは、自走可能な下部走行体と、該下部走行体上に旋回可能に設けられた上部旋回体と、該上部旋回体の前，後方向の前側に俯仰動可能に設けられた作業装置とにより構成されている。
【０００３】
上部旋回体は、前側に位置して左，右方向の中間部に作業装置を取付けるための取付ブラケットが設けられた旋回フレームと、該旋回フレームの前側に位置して前記取付ブラケットよりも左，右方向の外側に配置され内部が物品収容空間となると共に該物品収容空間に物品を出し入れするための開口部を有する前外装カバーと、該前外装カバーの開口部を開閉するために該前外装カバーに対して開閉可能に設けられた開閉カバーとにより構成されている。
【０００４】
前外装カバーは、左，右方向の外側となる右側位置に開口部が設けられ、開閉カバーは、その後部がヒンジ部材を用いて前外装カバーの一部を構成する構造体に取付けられている。これにより、開閉カバーは、水平方向（左，右方向ないし前，後方向）に回動可能（開閉可能）となっている。前外装カバーの前部内側には、ストライカが取付けられ、開閉カバーの前部内側には、該開閉カバーを閉じたときにストライカに係合するラッチが設けられ、これらのストライカとラッチによりロック装置を構成している（例えば、特許文献１参照）。
【先行技術文献】
【特許文献】
【０００５】
【特許文献１】特開２０００−６４３４８号公報
【発明の概要】
【発明が解決しようとする課題】
【０００６】
ところで、特許文献１によるものでは、前外装カバーに設けたストライカに対し、開閉カバーに設けたラッチを係合することにより、開閉カバーを閉じた状態でロックすることができる。この場合、ラッチは、前外装カバーおよび開閉カバーの内側位置でストライカに係合しているから、ラッチとストライカとの係合具合を外側から目視で確認することはできない。このために、前外装カバーに対し開閉カバーを組付ける作業では、ラッチとストライカとの係合具合の調整作業に手間を要してしまうという問題がある。
【０００７】
そこで、各カバーの外側からラッチとストライカの係合調整を行えるようにすることが考えられる。この場合、ラッチとストライカを各カバーの外側に配置しなくてはならない。しかし、ラッチとストライカをカバーの外側に配置した場合には、これらを取付けている締結具、例えばボルトやナットも外部に露出することになる。このように、ボルトやナットが外側に露出した状態では、外側からボルトやナットを緩めることができてしまい、ロック装置を施錠したとしても開閉カバーが開けられてしまうという問題がある。
【０００８】
本発明は上述した従来技術の問題に鑑みなされたもので、本発明の目的は、ストライカとラッチを前外装カバーの外部に配置した場合でも、これらを固定する締結具を覆い隠すことができ、開閉カバーを閉じた状態で確実に施錠できるようにした建設機械を提供することにある。
【課題を解決するための手段】
【０００９】
本発明による建設機械は、自走可能な下部走行体と、該下部走行体上に旋回可能に搭載された上部旋回体と、該上部旋回体に俯仰動可能に設けられた作業装置とからなり、前記上部旋回体は、前側に位置して左，右方向の中間部に前記作業装置を取付けるための取付ブラケットが設けられた旋回フレームと、該旋回フレームの前側に位置して前記取付ブラケットよりも左，右方向の外側に配置され内部が物品収容空間となると共に該物品収容空間に物品を出し入れするための開口部を有する前外装カバーと、該前外装カバーの開口部を開閉するために該前外装カバーに対して開閉可能に設けられた開閉カバーとを備えてなる。
【００１０】
そして、上述した課題を解決するために、請求項１の発明が採用する構成の特徴は、前記開閉カバーに設けたストライカに前記前外装カバーに設けたラッチを係合させることにより該開閉カバーを前記前外装カバーに対して施錠、解錠可能にロックするロック装置を有し、前記ロック装置の前記ストライカは、前記開閉カバーに取付けられたストライカ固定部と該ストライカ固定部から前記前外装カバーに向けて延びた係合部材とにより構成し、前記ロック装置の前記ラッチは、ラッチ締結具を用いて前記前外装カバーに取付けられたラッチ固定部と該ラッチ固定部から前記ストライカの前記係合部材に向けて延び前記係合部材に対して外側から係合する係合レバーとにより構成し、前記ラッチ締結具が外部から見えないように隠す目隠し部材を備え、該目隠し部材は、前記前外装カバーに対して目隠し部材締結具を用いて取付ける構成とし、前記目隠し部材締結具は、前記開閉カバーを閉じたときに前記ストライカの前記係合部材に隠れる位置に配置する構成としたことにある。
【００１１】
請求項２の発明は、前記ストライカの前記ストライカ固定部は、前記開閉カバーに対しストライカ締結具を用いて取付け、該ストライカ締結具は、前記開閉カバーを閉じたときに該開閉カバーと前記前外装カバーとの間に隠れる位置に配置する構成としたことにある。
【００１２】
請求項３の発明は、前記開閉カバーは、後端が前記前外装カバーの後部位置に水平方向に回動可能に取付けられた横開きカバーとして形成し、前記ストライカは、前記開閉カバーの前端に前記前外装カバーに向けて水平方向に延びるように設け、前記ラッチは、前記前外装カバーの前面に水平方向に延びる横置き状態で取付ける構成としたことにある。
【００１３】
請求項４の発明は、前記目隠し部材は、前記ラッチの前記ラッチ固定部と前記ラッチ締結具とを覆い隠す山形状に形成され、前記目隠し部材を前記目隠し部材締結具を用いて前記前外装カバーの前面に取付けた状態では、前記ラッチの前記係合レバーのみが前記目隠し部材から突出する構成としたことにある。
【００１４】
請求項５の発明は、前記目隠し部材は、前記ラッチ締結具を隠すために突出して設けられた目隠し用膨出部と、該目隠し用膨出部から前記ストライカ側に向け薄板状に延び前記目隠し部材締結具を用いて前記前外装カバーに取付けられる取付板部と、前記目隠し用膨出部に設けられ前記ラッチの係合レバーが回動可能に突出する開口部とにより構成したことにある。
【発明の効果】
【００１５】
請求項１の発明によれば、ストライカは、そのストライカ固定部を開閉カバーに取付けることにより、前外装カバーに向けて延びた先端に係合部材を配置する。一方、ラッチは、ラッチ固定部をラッチ締結具を用いて前外装カバーに取付ける。これにより、ラッチ固定部からストライカに向けて延びるように係合レバーを配置する。
【００１６】
これにより、ストライカの係合部材とラッチの係合レバーとは、開閉カバー、前外装カバーの外部に露出した部位で係合させることができるから、ストライカとラッチの係合具合の調整作業は、目視しながら容易に行うことができる。
【００１７】
しかも、前外装カバーには、ラッチ締結具を覆い隠す目隠し部材を目隠し部材締結具を用いて取付けているから、ラッチを前外装カバーに取付けているラッチ締結具は、目隠し部材によって外部から見えないように覆い隠すことができる。さらに、目隠し部材締結具は、開閉カバーを閉じたときにストライカの係合部材に隠れる位置に配置しているから、開閉カバーを閉じた状態では、外部から目隠し部材締結具を緩めたり、取外したりすることはできない。
【００１８】
この結果、ストライカとラッチとを開閉カバー、前外装カバーの外部に露出した部位に配置した場合でも、ラッチを前外装カバーに固定しているラッチ締結具は、開閉カバーを閉じた状態では緩めたり、取外したりできないから、開閉カバーを閉じてロック装置を施錠したときには、開閉カバーを確実に施錠することができ、不用意な開扉を防止することができる。一方、目隠し部材は、ラッチと別個に設けているから、ラッチには、一般的に市販されている安価なものを用いることができる。
【００１９】
請求項２の発明によれば、ストライカは、ストライカ固定部をストライカ締結具を用いて開閉カバーに取付けることができる。この場合、ストライカ締結具は、開閉カバーを閉じたときに開閉カバーと前外装カバーとの間に隠れて外部から目視できない位置に配置しているから、開閉カバーを閉じた状態では、外部からストライカ締結具が緩められたり、取外されたりするのを防止することができる。
【００２０】
請求項３の発明によれば、開閉カバーは、水平方向に開閉する横開きカバーとして形成することができ、ストライカは、この横開きカバーの開閉方向に応じて水平方向に延びるように設けている。この上で、ラッチは、前外装カバーの前面に水平方向に延びる横置き状態で取付ける構成としているから、この横置き状態のラッチをストライカに係合させることにより、横開きカバーを閉扉状態でロックすることができる。
【００２１】
請求項４の発明によれば、目隠し部材を山形状に形成しているから、その内部にラッチのラッチ固定部とラッチ締結具とを外部から見えないように隠すことができる。さらに、目隠し部材を前外装カバーの前面に取付けた状態では、ラッチの係合レバーを目隠し部材から突出させることができ、該係合レバーは、ストライカの係合部材に係合させることができる。
【００２２】
請求項５の発明によれば、ラッチの係合レバーを開口部に挿通させつつ、目隠し用膨出部によってラッチ締結具を覆い隠している。これにより、ラッチ締結具を外部から取外せないようにすることができる。さらに、目隠し部材は、目隠し用膨出部からストライカ側に向け薄板状に延びる取付板部を設け、この取付板部を目隠し部材締結具を用いて前外装カバーに取付けている。従って、目隠し用膨出部によってラッチ締結具を隠すことができ、ストライカの係合部材によって目隠し部材締結具を目視できないように隠すことができる。一方、ラッチの係合レバーは、開口部から回動自在に突出させることができる。
【図面の簡単な説明】
【００２３】
【図１】本発明の実施の形態に係る油圧ショベルを示す正面図である。
【図２】作業装置を省略した状態の油圧ショベルを示す前面図である。
【図３】上部旋回体の右前側を右上側から見た要部拡大の斜視図である。
【図４】ロック装置のストライカとラッチの係合を解除して開閉カバーを開いた状態を左上側から見た要部拡大の斜視図である。
【図５】ロック装置を分解した状態を図４と同様位置から見た分解斜視図である。
【図６】ロック装置のストライカとラッチとを係合させた状態で図２中の矢示VI−VI方向から見た要部拡大の断面図である。
【図７】ロック装置のストライカとラッチとの係合を解除させた状態を図６と同様位置から見た断面図である。
【図８】ストライカとラッチを示す斜視図である。
【図９】ラッチを単体で拡大して示す正面図である。
【図１０】ラッチを単体で拡大して示す背面図である。
【図１１】目隠し部材を単体で拡大して示す斜視図である。
【発明を実施するための形態】
【００２４】
以下、本発明の実施の形態に係る建設機械の代表例として、クローラ式の油圧ショベルを例に挙げ、図１ないし図１１に従って詳細に説明する。本実施の形態では、上部旋回体の右前側に前外装カバーを設け、この前外装カバーの左，右方向の外側となる右側に開閉カバーを設けた場合を例示し、これらの配置に合せてロック装置等の取付位置を設定している。従って、前外装カバーを上部旋回体の左前側に配置した場合には、前外装カバー、開閉カバー、ロック装置等の左，右方向の位置関係を逆にすればよいものである。
【００２５】
図１において、１は建設機械としてのクローラ式の小型の油圧ショベルを示している。この油圧ショベル１は、自走可能なクローラ式の下部走行体２と、該下部走行体２上に旋回可能に搭載された上部旋回体３と、該上部旋回体３の前，後方向の前側に揺動可能かつ俯仰動可能に設けられ土砂の掘削作業等を行う作業装置４とにより構成されている。
【００２６】
ここで、油圧ショベル１は、上部旋回体３が小さな旋回半径で旋回することができる小旋回機として構成されている。この場合の上部旋回体３は、上方から見て略円形状をなし、全体としてコンパクトに形成されている。上部旋回体３は、後述の旋回フレーム５、キャブ６、カウンタウエイト７、後外装カバー１０、前外装カバー１１、開閉カバー１４、ロック装置１５によって構成されている。
【００２７】
５は上部旋回体３のベースとなる旋回フレームである。この旋回フレーム５は、前，後方向に延びる厚肉な鋼板等からなる底板５Ａ上に左，右の縦板５Ｂ（右側の一部のみ図示）を有し、該各縦板５Ｂの前部は、左，右方向の中間部に位置して作業装置４を取付けるための取付ブラケット５Ｃとなっている。一方、旋回フレーム５の左，右方向の外側位置には、前，後方向に円弧状に延びた左サイドフレーム５Ｄと右サイドフレーム５Ｅとが設けられ、この左サイドフレーム５Ｄと右サイドフレーム５Ｅの前部には、左，右方向の内側に延びる左前フレーム５Ｆと右前フレーム５Ｇが設けられている。
【００２８】
さらに、旋回フレーム５には、底板５Ａ、左，右の縦板５Ｂと左，右のサイドフレーム５Ｄ，５Ｅとを接続する複数本の張出しビームが設けられ、これら張出しビーム間は、アンダカバー（いずれも図示せず）によって覆われている。旋回フレーム５の後側には、油圧ポンプを駆動するためのエンジン（いずれも図示せず）が搭載されている。
【００２９】
６は旋回フレーム５の左前側に搭載されたキャブで、該キャブ６は、上，下方向に延びるボックス体として形成されている。キャブ６は、オペレータが搭乗するもので、内部にはオペレータが着座する運転席、走行用の操作レバー、作業用の操作レバー（いずれも図示せず）等が配設されている。
【００３０】
７はエンジンの後側を覆うように旋回フレーム５の後部に設けられたカウンタウエイトである。このカウンタウエイト７は、作業装置４との重量バランスをとるもので、重量物として形成されている。カウンタウエイト７は、旋回動作したときの旋回半径が小さくなるように、円弧状に形成されている。
【００３１】
８は旋回フレーム５の右側に位置してエンジンの前側、即ち、旋回フレーム５の前，後方向の中間位置に設けられた燃料タンクである。この燃料タンク８は、エンジンに供給する燃料を貯えるものである。９は燃料タンク８の左隣に位置して旋回フレーム５上に設けられた作動油タンク（図３参照）で、該作動油タンク９は、各アクチュエータに供給する作動油を貯えるものである。
【００３２】
１０はキャブ６、燃料タンク８、作動油タンク９とカウンタウエイト７との間に位置して旋回フレーム５上に設けられた後外装カバーである。この後外装カバー１０は、エンジン、油圧ポンプ、熱交換器等を覆うものである。
【００３３】
１１は旋回フレーム５の前側に設けられた前外装カバーを示している。この前外装カバー１１は、旋回フレーム５の取付ブラケット５Ｃよりも左，右方向の外側となる右側に配置されている。前外装カバー１１は、図３、図４に示すように、各タンク８，９の上部から下側に傾斜しつつ前側に延びた上面板１１Ａと、該上面板１１Ａの前端から右前フレーム５Ｇに向けて下側に延びた前面板１１Ｂと、前記上面板１１Ａと前面板１１Ｂの左側を閉塞するように立設された左側面板１１Ｃとにより構成されている。
【００３４】
前外装カバー１１は、後側が各タンク８，９によって閉塞されることにより、その内部が消耗品、工具等の物品を収容する物品収容空間１１Ｄとなっている。前外装カバー１１には、左側面板１１Ｃと反対側となる右側に位置して開口部１１Ｅが形成され、この開口部１１Ｅにより物品収容空間１１Ｄに物品を出し入れすることができる。さらに、開口部１１Ｅは、後述の開閉カバー１４によって開閉することができる。
【００３５】
ここで、前外装カバー１１の前面板１１Ｂは、約上半分の範囲が後述のラッチ２０、目隠し部材２４を取付けるための取付面１１Ｂ1となり、この取付面１１Ｂ1には、後述のラッチ取付台１２と目隠し部材取付台１３とが設けられている。
【００３６】
１２は取付面１１Ｂ1の一部をなすように該取付面１１Ｂ1の左，右方向の左側寄りに設けられたラッチ取付台である。このラッチ取付台１２は、ラッチ２０をストライカ１６に対応する前，後位置に配置するために取付面１１Ｂ1から突出して形成されている。即ち、ラッチ取付台１２は、長方形状の板体を折り曲げることにより、前板部１２Ａ、左板部１２Ｂおよび右板部１２ＣによりＵ字状に形成されている。前板部１２Ａには、ラッチ２０のラッチ固定部２１を固定するためのラッチボルト２３が螺着されるめねじ孔１２Ｄが、例えば上，下方向に間隔をもって２個設けられている。一方、左板部１２Ｂには、後述する目隠し部材２４の左板２４Ｂを固定するための目隠し部材ボルト２８が螺着されるめねじ孔１２Ｅが、例えば１個設けられている。
【００３７】
１３は取付面１１Ｂ1の一部をなすように該取付面１１Ｂ1の左，右方向の右側寄りに設けられた目隠し部材取付台である。この目隠し部材取付台１３は、図６に示す如く、ストライカ１６が後述の目隠し部材ボルト２９に干渉しないように、ラッチ取付台１２よりも突出寸法が小さくなるように低く形成されている。目隠し部材取付台１３は、長方形状の板体を折り曲げることによりＵ字状に形成され、その前面に目隠し部材２４の取付板部２６を固定するための前記目隠し部材ボルト２８が螺着されるめねじ孔１３Ａが、例えば上，下方向に間隔をもって２個設けられている。
【００３８】
１４は前外装カバー１１の開口部１１Ｅを開閉するために該前外装カバー１１に対して開閉可能に設けられた開閉カバーである。この開閉カバー１４は、前外装カバー１１の右側に配置され、旋回フレーム５の右サイドフレーム５Ｅの円弧形状と同等の円弧面を有している。即ち、開閉カバー１４は、図５に示すように、右サイドフレーム５Ｅに沿って緩やかに湾曲した右円弧面部１４Ａと、該右円弧面部１４Ａの上部から前外装カバー１１の上面板１１Ａ側に延びて形成された上面部１４Ｂと、前記右円弧面部１４Ａの先端を前外装カバー１１の前面板１１Ｂに向けて小さな円弧で湾曲して形成された前面部１４Ｃとにより構成されている。ここで、前面部１４Ｃは、前外装カバー１１の前面板１１Ｂよりも前側に配置され、これにより、前面部１４Ｃと前外装カバー１１の前面板１１Ｂとの間には、ストライカ１６のブラケット１７を通すための隙間が形成されている。
【００３９】
開閉カバー１４は、基端がヒンジ１４Ｄを用いて前外装カバー１１の後部位置に水平方向に回動可能に取付けられている。これにより、開閉カバー１４は、横開きカバーとして形成されている。一方、開閉カバー１４の先端となる前面部１４Ｃには、該開閉カバー１４を閉じたときに開口部１１Ｅと対面するストライカ取付板１４Ｅが設けられている。このストライカ取付板１４Ｅには、前外装カバー１１の前面板１１Ｂの取付面１１Ｂ1に対応する上側位置に例えば２個のめねじ孔１４Ｆが設けられている。この２個のめねじ孔１４Ｆは、後述のストライカ１６を固定するためのストライカボルト１９が螺着されるものである。
【００４０】
次に、本実施の形態による特徴部分であるロック装置１５の構成について詳しく述べる。
【００４１】
即ち、１５は開閉カバー１４を閉じた状態で、該開閉カバー１４を前外装カバー１１に対して施錠、解錠可能にロックするロック装置を示している。このロック装置１５は、開閉カバー１４に設けられた後述のストライカ１６と、前外装カバー１１に設けられたラッチ２０と、該ラッチ２０のラッチ固定部２１を前外装カバー１１に取付けているラッチボルト２３を外部から目視できないように覆い隠す目隠し部材２４とにより構成されている。
【００４２】
１６は開閉カバー１４のストライカ取付板１４Ｅに設けられたストライカである。このストライカ１６は、図８に示すように、ストライカ取付板１４Ｅに取付けられたブラケット１７と、該ブラケット１７に設けられた係合部材１８とにより構成されている。
【００４３】
ブラケット１７は、長方形状の板体を長さ方向の途中位置で折り曲げることにより略Ｌ字状の曲板として形成されている。このブラケット１７は、長さ方向の基端側がストライカ固定部１７Ａとなり、このストライカ固定部１７Ａには、ストライカ取付板１４Ｅの各めねじ孔１４Ｆに対応する位置にボルト挿通孔１７Ｂが形成されている。一方、ブラケット１７の長さ方向の先端側は、係合部材１８を取付けるための取付部１７Ｃとなっている。
【００４４】
ブラケット１７は、図５に示すように、各ボルト挿通孔１７Ｂに後述のストライカボルト１９を挿通し、このストライカボルト１９をストライカ取付板１４Ｅの各めねじ孔１４Ｆに螺着することにより、開閉カバー１４の先端側に取付けられている。この場合、開閉カバー１４を閉じた状態では、ブラケット１７の取付部１７Ｃが、前外装カバー１１に向けて水平方向に延び、前面板１１Ｂと対面している。
【００４５】
係合部材１８は、図６、図７、図８に示すように、ブラケット１７のストライカ固定部１７Ａから前外装カバー１１に向けて延びた位置、即ち、ブラケット１７の取付部１７Ｃに一体的に取付けられている。係合部材１８は、平板状の取付板１８Ａと、該取付板１８Ａのラッチ２０側（左側）に位置して該取付板１８Ａから前方に突出した位置に配設された係合ピン１８Ｂと、前記取付板１８Ａの右側に位置して設けられた円形状のシリンダ挿通孔１８Ｃとにより構成されている。係合部材１８は、外部から緩めることができないボルト、溶接等の手段を用いてブラケット１７の取付部１７Ｃの前面に一体的に取付けられている。
【００４６】
１９はストライカ１６を開閉カバー１４に固定するストライカ締結具としてのストライカボルト（図５、図６等参照）である。このストライカボルト１９は、ブラケット１７のストライカ固定部１７Ａに設けたボルト挿通孔１７Ｂに挿通され、開閉カバー１４のストライカ取付板１４Ｅに設けためねじ孔１４Ｆに螺着することにより、ブラケット１７のストライカ固定部１７Ａを開閉カバー１４のストライカ取付板１４Ｅに取付けることができる。一方、ストライカボルト１９は、前外装カバー１１と対面する開閉カバー１４のストライカ取付板１４Ｅに設けているから、前記開閉カバー１４を閉じたときには、ストライカボルト１９の頭部を開閉カバー１４と前外装カバー１１との間に外部から見えないように隠すことができ、いたずら等により不用意に緩めることができないようになっている。
【００４７】
２０は前外装カバー１１の前面板１１Ｂに水平方向に延びる横置き状態で取付けられたラッチを示している。このラッチ２０は、ストライカ１６に係合することにより、前外装カバー１１に対して開閉カバー１４を閉扉状態に保持するものである。ラッチ２０は、図５、図６、図７に示すように、後述のラッチボルト２３を用いて前外装カバー１１に取付けられたラッチ固定部２１と、該ラッチ固定部２１からストライカ１６の係合部材１８に向けて延び該係合部材１８に対して外側から係合する係合レバー２２とにより構成されている。
【００４８】
ラッチ固定部２１は、Ｌ字形状の曲板からなり、上，下方向に所定の間隔をもって対称位置に配置された２個の脚体２１Ａを有している。この２個の脚体２１Ａは、互いに対面する位置がレバー取付部２１Ａ1となり、このレバー取付部２１Ａ1に係合レバー２２が左，右方向ないし前，後方向に回動可能に取付けられている。各脚体２１Ａには、それぞれボルト挿通孔２１Ｂが設けられている。ラッチ固定部２１は、２個の脚体２１Ａを前外装カバー１１の前面板１１Ｂに設けられたラッチ取付台１２の前板部１２Ａに配置し、後述のラッチボルト２３をボルト挿通孔２１Ｂに挿通し、このラッチボルト２３をラッチ取付台１２のめねじ孔１２Ｄに螺着する。これにより、ラッチ固定部２１は、ラッチボルト２３を用いて前外装カバー１１に取付けることができる。
【００４９】
係合レバー２２は、ラッチ固定部２１からストライカ１６の係合部材１８に向けて延び、該係合部材１８に対して外側から係合するものである。係合レバー２２は、ラッチ固定部２１に対し水平方向に延びる横置き状態で取付けられている。係合レバー２２は、各脚体２１Ａ間に水平方向に回動可能に取付けられた回動部材２２Ａと、該回動部材２２Ａに伸縮自在に取付けられた可動部材２２Ｂと、該可動部材２２Ｂの先端部の接続ピン２２Ｂ1に長さ方向の途中部位が回動可能に取付けられたレバー本体２２Ｃと、前記可動部材２２Ｂ内に設けられ該可動部材２２Ｂを縮小方向に付勢するばね部材２２Ｄと、前記レバー本体２２Ｃの中間部に設けられたキーシリンダ２２Ｅとにより構成されている。
【００５０】
レバー本体２２Ｃの基端部には、係合部材１８の係合ピン１８Ｂに係合する溝部２２Ｃ1が形成されている。キーシリンダ２２Ｅは、図６に示すロック状態で、係合部材１８のシリンダ挿通孔１８Ｃに挿入する円柱体として形成され、差し込んだキー（図示せず）を回して爪部２２Ｅ1（図８、図１０等参照）を突出させることで、抜止め状態に施錠することができ、爪部２２Ｅ1を引っ込めることで解錠することができる。ここで、係合レバー２２は、ばね部材２２Ｄの付勢力に抗したときにレバー本体２２Ｃが伸長する構成としているから、ストライカ１６とラッチ２０との間の位置ずれを許容することができ、組立作業時の位置調整作業を簡略化することができる。
【００５１】
２３はラッチ２０を前外装カバー１１に固定するラッチ締結具としての２本のラッチボルト（図５参照）である。このラッチボルト２３は、ラッチ固定部２１の各脚体２１Ａに設けられたボルト挿通孔２１Ｂに挿通され、前外装カバー１１の前面板１１Ｂに設けたラッチ取付台１２のめねじ孔１２Ｄに螺着することにより、ラッチ２０のラッチ固定部２１を前外装カバー１１の前面板１１Ｂに取付けることができる。一方、ラッチボルト２３は、ラッチ固定部２１と一緒に後述の目隠し部材２４によって外部から目視できないように隠されている。
【００５２】
２４は前外装カバー１１の前面板１１Ｂの取付面１１Ｂ1に取付けられた目隠し部材を示している。この目隠し部材２４は、ラッチ２０のラッチ固定部２１と一緒に各ラッチボルト２３を覆い隠す山形状（伏椀状）に突出して形成され、後述の目隠し部材ボルト２８，２９を用いて前記取付面１１Ｂ1に取付けられている。図１１に示すように、目隠し部材２４は、ステップ状の箱体として形成されている。即ち、目隠し部材２４は、ラッチ取付台１２の前板部１２Ａと対面する突出前板２４Ａと、該突出前板２４Ａの左端から前面板１１Ｂに向けて後側に延びた左板２４Ｂと、前記突出前板２４Ａの右端から前面板１１Ｂに向け傾斜して延びた傾斜板２４Ｃと、前記突出前板２４Ａよりも前面板１１Ｂ側に凹陥（後退）した位置に目隠し部材取付台１３と対面して設けられた後退前板２４Ｄと、前記各板２４Ａ，２４Ｂ，２４Ｃ，２４Ｄを挟むように上，下の端縁に設けられた上板２４Ｅ，下板２４Ｆとにより構成されている。
【００５３】
ここで、目隠し部材２４は、左側部位がラッチボルト２３を目隠しするために突出して設けられた目隠し用膨出部２５となり、右側部位が該目隠し用膨出部２５からストライカ１６側に向け薄板状に延び後述の目隠し部材ボルト２９を用いて目隠し部材取付台１３に取付けられる取付板部２６となっている。目隠し用膨出部２５には、上，下方向の中間部に位置して突出前板２４Ａ、左板２４Ｂ、傾斜板２４Ｃに亘って開口部２７が設けられ、該開口部２７は、ラッチ２０の係合レバー２２のみが回動可能に突出するものである。
【００５４】
さらに、左板２４Ｂは、ラッチ取付台１２の左板部１２Ｂに対面するもので、めねじ孔１２Ｅに対応する位置にボルト挿通孔２４Ｇが設けられている。一方、後退前板２４Ｄには、目隠し部材取付台１３のめねじ孔１３Ａに対応する位置にボルト挿通孔２４Ｈが設けられている。
【００５５】
このように構成された目隠し部材２４は、図６、図７に示すように、ラッチ取付台１２に対応する左側部位を目隠し用膨出部２５として形成しているから、該目隠し用膨出部２５を構成する突出前板２４Ａ、左板２４Ｂ、傾斜板２４Ｃによってラッチ２０のラッチ固定部２１とラッチボルト２３を目視できないように覆い隠すことができる。一方、目隠し部材２４は、目隠し部材取付台１３に対応する右側部位を前記目隠し用膨出部２５よりも薄板状の取付板部２６として形成しているから、開閉カバー１４を閉じてストライカ１６と対面したときに、このストライカ１６に取付板部２６や後述の目隠し部材ボルト２９が干渉するのを防止することができる。さらに、開口部２７は、ラッチ２０の係合レバー２２が水平方向に回動したときに干渉しない範囲で小さく形成されており、この開口部２７を介してラッチボルト２３を緩めることができないようになっている。
【００５６】
２８は目隠し部材２４の左側部分を前外装カバー１１の前面板１１Ｂに固定する目隠し部材締結具としての１本の目隠し部材ボルトである。２９は目隠し部材２４の右側部分を前外装カバー１１の前面板１１Ｂに固定する目隠し部材締結具としての２本の目隠し部材ボルトである。左側に位置する１本の目隠し部材ボルト２８は、目隠し部材２４のボルト挿通孔２４Ｇに挿通され、前外装カバー１１の前面板１１Ｂに設けたラッチ取付台１２のめねじ孔１２Ｅに螺着することにより、目隠し部材２４の左側部分をラッチ取付台１２に取付けることができる。
【００５７】
一方、右側に位置する２本の目隠し部材ボルト２９は、目隠し部材２４のボルト挿通孔２４Ｈに挿通され、前外装カバー１１の前面板１１Ｂに設けた目隠し部材取付台１３のめねじ孔１３Ａに螺着することにより、目隠し部材２４の右側部分を目隠し部材取付台１３に取付けることができる。この２本の目隠し部材ボルト２９が配置されている位置は、図３、図６等に示すように、開閉カバー１４を閉じたときにストライカ１６の係合部材１８（ブラケット１７の取付部１７Ｃ）に隠れて外部から見えない位置となっている。
【００５８】
これにより、目隠し部材ボルト２９は、目隠し部材２４を取付け、取外しするときには、外部に露出しているから、容易に締付けたり、緩めたりすることができる。一方、開閉カバー１４を閉じた状態では、目隠し部材ボルト２９は、ストライカ１６の係合部材１８によって外部から見えないように隠すことができるから、不用意に緩められるような事態を未然に防ぐことができる。
【００５９】
ここで、目隠し部材２４の左側部分を固定している左側の目隠し部材ボルト２８は、外部から緩めることができる。しかし、左側の目隠し部材ボルト２８を緩めただけでは、右側の目隠し部材ボルト２９が目隠し部材２４を固定している上に、ラッチ２０の係合レバー２２が開口部２７に係合するから、目隠し部材２４を取外そうとする作業を阻止することができる。
【００６０】
本実施の形態による油圧ショベル１は上述の如き構成を有するもので、次に、この油圧ショベル１の動作について説明する。
【００６１】
オペレータは、キャブ６に搭乗して運転席に着座する。この状態で走行用のレバーを操作することにより、下部走行体２を駆動して油圧ショベル１を前進または後退させることができる。一方、運転席に着座したオペレータは、作業用のレバーを操作することにより、作業装置４等を動作させて土砂の掘削作業等を行うことができる。
【００６２】
ここで、前外装カバー１１内の物品収容空間１１Ｄに物品を出し入れするために、開閉カバー１４を開くときの動作について述べる。作業者は、キーをラッチ２０のキーシリンダ２２Ｅに差し込んで回すことによりロック装置１５を解錠し、レバー本体２２Ｃの先端側を掴んで手前側に引き倒す。これにより、図７に示すように、レバー本体２２Ｃの溝部２２Ｃ1とストライカ１６の係合部材１８の係合ピン１８Ｂとの係合を解除することができる。従って、図４に示すように、開閉カバー１４を右側に開くことができ、開口部１１Ｅを介して消耗品、工具等の物品を出し入れすることができる。
【００６３】
次に、開閉カバー１４を閉じてロック装置１５を施錠するときの動作について述べる。作業者は、開閉カバー１４を前外装カバー１１側に回動し、開口部１１Ｅを閉じる。この状態で、図７に示すように、レバー本体２２Ｃの溝部２２Ｃ1をストライカ１６の係合部材１８に設けた係合ピン１８Ｂに係合させ、図６に示すように、レバー本体２２Ｃを開閉カバー１４側に倒すことにより、前外装カバー１１に対し開閉カバー１４が開かないようにロックすることができる。そして、キーを係合レバー２２のキーシリンダ２２Ｅに差し込んで回すことにより、爪部２２Ｅ1を突出してシリンダ挿通孔１８Ｃに係合させることができ、ロック装置１５を施錠することができる。
【００６４】
ここで、ロック装置１５は、前外装カバー１１、開閉カバー１４の外側に配置されているから、ストライカ１６とラッチ２０との係合調整を外部から容易に行うことができる。しかし、ストライカ１６とラッチ２０をカバー１１，１４の外側に配置した場合、ストライカ１６を開閉カバー１４に取付けているストライカボルト１９、ラッチ２０を前外装カバー１１に取付けているラッチボルト２３が外部に露出すると、外側からボルト１９，２３が緩められてロック装置１５を施錠したとしても開閉カバー１４が開けられてしまう虞がある。
【００６５】
然るに、本実施の形態によれば、前外装カバー１１には、ラッチ２０のラッチ固定部２１と各ラッチボルト２３とを覆い隠す目隠し部材２４を目隠し部材ボルト２８，２９を用いて取付け、この目隠し部材ボルト２９は、開閉カバー１４を閉じたときにストライカ１６の係合部材１８に隠れる位置に配置する構成としている。従って、ラッチ２０を前外装カバー１１のラッチ取付台１２に取付けている２本のラッチボルト２３は、目隠し部材２４によって外部から見えないように覆い隠すことができる。しかも、目隠し部材ボルト２９は、係合部材１８によって隠すことができるから、開閉カバー１４を閉じた状態では、外部から目隠し部材ボルト２９を緩めたり、取外したりすることができないようになっている。
【００６６】
この結果、ストライカ１６とラッチ２０とを開閉カバー１４、前外装カバー１１の外部に露出した部位に配置した場合でも、開閉カバー１４を閉じた状態では、ラッチボルト２３を緩めたり、取外したりできないから、開閉カバー１４を閉じてロック装置１５を施錠したときには、開閉カバー１４を確実に施錠することができ、不用意な開扉を防止することができる。一方、目隠し部材２４は、ラッチ２０と別個に設けているから、ラッチ２０としては、一般的に市販されている安価なものを用いることができる。
【００６７】
ストライカ１６のブラケット１７を構成するストライカ固定部１７Ａは、２本のストライカボルト１９を用いて開閉カバー１４のストライカ取付板１４Ｅに取付ける構成としている。この場合、各ストライカボルト１９は、開閉カバー１４を閉じたときに該開閉カバー１４と前外装カバー１１との間に隠れる位置に配置している。従って、開閉カバー１４を閉じた状態では、外部からストライカボルト１９が緩められたり、取外されたりするのを防止することができる。
【００６８】
開閉カバー１４は、水平方向に開閉する横開きカバーとして形成し、ストライカ１６は、横開きの開閉カバー１４の開閉方向に応じて水平方向に延びるように設けている。この上で、ラッチ２０は、前外装カバー１１の前面板１１Ｂに水平方向に延びる横置き状態で取付ける構成としている。これにより、横置き状態のラッチ２０をストライカ１６に係合させることにより、横開きカバーを閉扉状態でロックすることができる。
【００６９】
一方、目隠し部材２４は、ラッチボルト２３とラッチ２０のラッチ固定部２１を目隠しするために突出して設けられた目隠し用膨出部２５と、該目隠し用膨出部２５からストライカ１６側に向け薄板状に延び目隠し部材ボルト２８，２９を用いて前外装カバー１１に取付けられる取付板部２６と、前記目隠し用膨出部２５に設けられラッチ２０の係合レバー２２が回動可能に突出する開口部２７とにより構成している。
【００７０】
これにより、目隠し部材２４は、目隠し用膨出部２５によってラッチボルト２３とラッチ固定部２１を外部から見えないように隠すことができ、ラッチボルト２３を外部から取外せないようにすることができる。一方、取付板部２６を前外装カバー１１の目隠し部材取付台１３に取付けている目隠し部材ボルト２９は、ストライカ１６の係合部材１８によって隠すことができる。この上で、ラッチ２０の係合レバー２２は、開口部２７から回動自在に突出させることができる。
【００７１】
さらに、ラッチ２０を構成する係合レバー２２は、ばね部材２２Ｄの付勢力を利用してストライカ１６に係合する構成としているから、回動部材２２Ａに対して可動部材２２Ｂ、レバー本体２２Ｃを伸長させることができる。従って、ストライカ１６とラッチ２０との間の位置ずれを許容することができ、組立作業時の位置調整作業を簡略化することができる。
【００７２】
なお、実施の形態では、ストライカ締結具，ラッチ締結具，目隠し部材締結具としてボルト１９，２３，２８，２９を用いた場合を例に挙げて説明した。しかし、本発明はこれに限らず、例えばストライカ締結具，ラッチ締結具，目隠し部材締結具としてナット、ピン等を用いて固定する構成としてもよい。
【００７３】
実施の形態では、前外装カバー１１の前面板１１Ｂにラッチ取付台１２と目隠し部材取付台１３とを設け、このラッチ取付台１２と目隠し部材取付台１３にラッチ２０と目隠し部材２４を取付ける構成とした場合を例示している。しかし、本発明はこれに限るものではなく、例えば、各取付台１２，１３を省略し、ラッチ２０と目隠し部材２４を前外装カバー１１の前面板１１Ｂに直接的に取付ける構成としてもよい。
【００７４】
一方、実施の形態では、上部旋回体３にキャブ６を備えたキャブ仕様の油圧ショベル１に適用した場合を例に挙げて説明した。しかし、本発明はこれに限らず、例えば、少なくとも運転席の上方だけを覆うキャノピ仕様の油圧ショベルに適用する構成としてもよい。
【００７５】
さらに、実施の形態では、建設機械としてクローラ式の油圧ショベル１を例に挙げて説明した。しかし、本発明はこれに限るものではなく、例えばホイール式の下部走行体を備えた油圧ショベルに適用してもよい。さらに、例えば油圧クレーン等の他の建設機械にも広く適用できるものである。
【符号の説明】
【００７６】
１  油圧ショベル（建設機械）
２  下部走行体
３  上部旋回体
４  作業装置
５  旋回フレーム
１１  前外装カバー
１１Ｂ  前面板
１１Ｄ  物品収容空間
１１Ｅ  開口部
１２  ラッチ取付台
１３  目隠し部材取付台
１４  開閉カバー
１５  ロック装置
１６  ストライカ
１７  ブラケット
１７Ａ  ストライカ固定部
１８  係合部材
１９  ストライカボルト（ストライカ締結具）
２０  ラッチ
２１  ラッチ固定部
２２  係合レバー
２３  ラッチボルト（ラッチ締結具）
２４  目隠し部材
２５  目隠し用膨出部
２６  取付板部
２７  開口部
２８，２９  目隠し部材ボルト（目隠し部材締結具）
【図１】
2014122525.tif 000003
【図２】
2014122525.tif 000004
【図３】
2014122525.tif 000005
【図４】
2014122525.tif 000006
【図５】
2014122525.tif 000007
【図６】
2014122525.tif 000008
【図７】
2014122525.tif 000009
【図８】
2014122525.tif 000010
【図９】
2014122525.tif 000011
【図１０】
2014122525.tif 000012
【図１１】
2014122525.tif 000013